(57)【要約】【課題】本発明はゴミ箱清掃装置を開示した。【解決手段】清掃箱と、前記清掃箱の中に設置される清掃空間を含み、前記清掃空間の中にはゴミ箱位置切換装置が設置され、前記ゴミ箱位置切換装置の中には位置切換板が設置され、前記位置切換板には二つの箱溝が設置され、前記清掃空間の中には内部清掃装置が設置され、前記内部清掃装置が前記清掃空間の中に設置される側ノズルを含み、前記清掃空間の中には外部清掃装置が設置され、前記外部清掃装置の中には伝動ラックが設置され、本装置は機構が簡単で、使用が便利で、ゴミ箱に対して自動的な清掃を実現でき、清掃の全過程は装置内で行われ、汚れた水の噴き出しを回避でき、清掃している過程中にゴミ箱の内部と、箱壁を同時に清掃でき、清掃の効率を大いに高め、人件費を下げる。【選択図】図１
2020171909.tif 000002
【特許請求の範囲】
【請求項１】
清掃箱と、前記清掃箱の中に設置される清掃空間を含み、前記清掃空間の中にはゴミ箱位置切換装置が設置され、前記ゴミ箱位置切換装置の中には位置切換板が設置され、前記位置切換板には二つの箱溝が設置され、前記清掃空間の中には内部清掃装置が設置され、前記内部清掃装置が前記清掃空間の中に設置される側ノズルを含み、前記清掃空間の中には外部清掃装置が設置され、前記外部清掃装置の中には伝動ラックが設置され、前記内部清掃装置にはリールが設置され、前記伝動ラックが前記リールをコントロールして糸の繰り出し又は繰り入れを実現でき、前記外部清掃装置の中にはホルダリングを含み、前記清掃空間の中には箱リフト装置が設置され、前記箱リフト装置が前記外部清掃装置と協働し合え、また協働し合う時にゴミ箱を回転させることができ、前記箱リフト装置が作動している時にゴミ箱と前記ホルダリングを協働し合わせることができ、
ゴミ箱清掃装置はまた前記清掃箱の中に設置される切換空間を含み、前記切換空間の中には動力装置が設置され、前記清掃箱の中には脱ガス空間が設置され、前記脱ガス空間の中には動力切換装置が設置され、前記動力切換装置が空気ポンプの起動と停止により前記動力装置をコントロールして運動させ、前記動力装置が前記動力切換装置の作用により前記ゴミ箱位置切換装置と、前記桶リフト装置と、前記外部清掃装置と協働し合えることを特徴とするゴミ箱清掃装置。
【請求項２】
前記動力装置が前記切換空間の底壁に設置されるスライド空間を含み、前記スライド空間の中にはモーターがスライドできるように設置され、前記モーターの右端面と前記スライド空間の右壁との間が位置戻しばねにより固定的に連結され、前記モーターの上端には動力軸により動力歯車が設置され、前記ゴミ箱位置切換装置が前記切換空間の底壁に回転できるように設置される位置切換軸を含み、前記位置切換軸が下へ前記切換空間の中まで伸びており、前記位置切換軸の上端が前記清掃空間の中まで伸びており、前記清掃空間の中には前記位置切換軸の上端に固定的に設置される前記位置切換板が設置され、前記位置切換板の上端面には前記箱溝が左右対称になるように設置され、左側にある前記箱溝の中にはゴミ箱が置いてあり、前記位置切換板の下端面には輪状溝が設置され、前記切換空間の中には前記位置切換軸に固定的に連結される左切換歯車が設置されることを特徴とする請求項１に記載のゴミ箱清掃装置。
【請求項３】
前記動力切換装置が前記切換空間の底壁に回転できるように設置される箱回し伝動軸を含み、前記箱回し伝動軸には左制御プーリが固定的に設置され、前記箱回し伝動軸の上端には右切換歯車が設置され、前記切換空間の底壁には前記箱回し伝動軸の右側に位置する制御歯車軸が回転できるように設置され、前記制御歯車軸が上へ前記清掃空間の中まで伸びており、前記制御歯車軸には右制御プーリが設置され、前記右制御プーリと前記左制御プーリとがベルトにより連結され、前記制御歯車軸には前記右制御プーリの上側に位置するスイッチ歯車が固定的に設置され、前記清掃箱の中には前記切換空間の下側に位置するスイッチ空間が設置され、前記切換空間の底壁には前記制御歯車軸の右側に位置する制御回転軸が回転できるように設置され、前記制御回転軸の下端が前記スイッチ空間の中まで伸びており、前記切換空間の中には前記制御回転軸の上端に固定的に連結される変速歯車が設置され、前記変速歯車が前記スイッチ歯車と噛み合い、前記スイッチ空間の中には前記制御回転軸の下端に固定的に連結されるスイッチプレートが設置され、前記スイッチ空間の右壁にはセンサースイッチが固定的に設置され、
前記動力切換装置はまた前記ガス充填ピストンシリンダーの下端面に固定的に設置され、且つ、前記ガス充填空間と連通される脱ガスパイプを含み、前記脱ガスパイプが下方に開口しており、前記脱ガス空間の中には前記位置切換軸の外周面に固定的に連結される脱ガス制御板が設置され、前記脱ガス空間の頂壁には緩衝スライド溝が設置され、前記緩衝スライド溝の中には緩衝スライドロッドがスライドできるように設置され、前記緩衝スライドロッドの後端面と前記緩衝スライド溝の後壁との間が前記緩衝ばねにより固定的に連結され、前記緩衝スライドロッドの下端には脱ガス連結ロッドが固定的に設置され、前記脱ガス連結ロッドの上端面には前記位置切換軸の左右両側に位置する左右対称の脱ガス押圧板が固定的に設置され、前記脱ガス連結ロッドの前端面には脱ガススイッチプレートが固定的に設置され、前記脱ガススイッチプレートが前記脱ガスパイプの壁体とスライドできるように設置され、且つ前記脱ガスパイプの中まで伸びておることを特徴とする請求項１に記載のゴミ箱清掃装置。
【請求項４】
前記外部清掃装置が前記清掃空間の底壁に設置される切換板スライド溝を含み、前記切換板スライド溝の中には切換板がスライドできるように設置され、前記清掃空間の中には前記制御歯車軸の上端に固定的に連結される伝動傘歯車が設置され、前記清掃空間の右壁には傘歯車軸が回転できるように設置され、前記傘歯車軸には前記伝動傘歯車と噛み合う右伝動傘歯車が固定的に設置され、前記傘歯車軸には前記右伝動傘歯車の左側に位置する下伝動ベルト車が固定的に設置され、前記清掃空間の右壁には中空回転軸が回転できるように設置され、前記中空回転軸の左端には上伝動ベルト車が固定的に設置され、前記上伝動ベルト車と前記下伝動ベルト車とがベルトにより連結され、前記上伝動ベルト車の中には親ねじが螺合され、前記切換板の右端面にはばねが固定的に設置され、前記親ねじの左端と前記ばねとが固定的に連結され、前記切換板の右端面にはブラケットロッドが固定的に設置され、前記ブラケットロッドの左端には前記ホルダリングが固定的に設置され、前記切換板の左端面には箱外部ブラシ固定板が前後対称になるように固定的に設置され、前記箱外部ブラシ固定板の下端面には外毛払いが固定的に設置され、前記切換板の上端面には前記伝動ラックが固定的に設置されることを特徴とする請求項１に記載のゴミ箱清掃装置。
【請求項５】
前記箱リフト装置が回転軸により前記清掃空間の底壁に回転できるように設置される回転傘歯車を含み、前記回転傘歯車の上端面にはシリンダースリーブが固定的に設置され、前記シリンダースリーブの中には油圧シリンダが固定的に設置され、前記油圧シリンダの動力軸の上端には上昇板が固定的に設置され、前記上昇板が前記輪状溝の中まで伸びており、且つ前記輪状溝とスライドできるように設置され、前記切換板の左端面には前記ブラケットロッドの下側に位置するスプラインスリーブが回転できるように設置され、前記スプラインスリーブが前記傘歯車軸とスプラインによって結合され、前記スプラインスリーブの左端には方向切換傘歯車が固定的に設置され、前記内部清掃装置が前記清掃空間の頂壁に固定的に設置される押しノズルを含み、前記清掃空間の左壁には前記側ノズルが固定的に設置され、前記清掃空間の後壁には外部と連通される排水パイプが固定的に設置され、前記清掃空間の後壁にはリール軸が回転できるように設置され、前記リール軸には前記伝動ラックと噛み合う伝動歯車が固定的に設置され、前記リール軸には前記伝動歯車の前側に位置する前記リールが固定的に設置され、前記リールには引き線が周設され、前記清掃空間の後壁にはスライドロッドがスライドできるように設置され、前記スライドロッドの下端には内毛払いが固定的に設置され、前記引き線が前記清掃空間の後壁に回転できるように設置される糸巻き方向切換輪を回避して前記スライドロッドの上端に固定的に連結されることを特徴とする請求項１に記載のゴミ箱清掃装置。
【発明の詳細な説明】
【技術分野】
【０００１】
本発明は機械技術分野に関わり、具体的にはゴミ箱清掃装置である。
【背景技術】
【０００２】
オフィスなどの人が多い場所には、ゴミを生み出しやすくて、多くのゴミ箱を配置する必要があり、ゴミ箱を長時間使用すると、箱の表面にはより多くの汚れ目が出て、細菌が発生しやすく、且つ街の美しさにも悪影響を与え、伝統的な解決方法は清掃スタッフにより清掃し、労働強度が高くて、清掃する過程中にゴミ箱をきれいに清掃することを実現しにくくて、一定程度の衛生上の問題が存在している。
【先行技術文献】
【特許文献】
【０００３】
【特許文献１】中国特許出願公開第１０９０４７２３５号明細書
【発明の概要】
【発明が解決しようとする課題】
【０００４】
上記の技術の不足に対して、本発明はゴミ箱清掃装置を開示し、上記の問題を解決できる。
【課題を解決するための手段】
【０００５】
本発明はゴミ箱清掃装置であり、清掃箱と、前記清掃箱の中に設置される清掃空間を含み、前記清掃空間の中にはゴミ箱位置切換装置が設置され、前記ゴミ箱位置切換装置の中には位置切換板が設置され、前記位置切換板には二つの箱溝が設置され、前記清掃空間の中には内部清掃装置が設置され、前記内部清掃装置が前記清掃空間の中に設置される側ノズルを含み、前記清掃空間の中には外部清掃装置が設置され、前記外部清掃装置の中には伝動ラックが設置され、前記内部清掃装置にはリールが設置され、前記伝動ラックが前記リールをコントロールして糸の繰り出し又は繰り入れを実現でき、前記外部清掃装置の中にはホルダリングを含み、前記清掃空間の中には箱リフト装置が設置され、前記箱リフト装置が前記外部清掃装置と協働し合え、また協働している時にゴミ箱を回転させることができ、前記箱リフト装置が作動している時にゴミ箱と前記ホルダリングを協働し合わせることができる。
【０００６】
ゴミ箱清掃装置はまた前記清掃箱の中に設置される切換空間を含み、前記切換空間の中には動力装置が設置され、前記清掃箱の中には脱ガス空間が設置され、前記脱ガス空間の中には動力切換装置が設置され、前記動力切換装置が空気ポンプの起動と停止により前記動力装置をコントロールして運動させ、前記動力装置が前記動力切換装置の作用により前記ゴミ箱位置切換装置と、前記桶リフト装置と、前記外部清掃装置と協働し合える。
【０００７】
優先的には、前記動力装置が前記切換空間の底壁に設置されるスライド空間を含み、前記スライド空間の中にはモーターがスライドできるように設置され、前記モーターの右端面と前記スライド空間の右壁との間が位置戻しばねにより固定的に連結され、前記モーターの上端には動力軸により動力歯車が設置され、前記ゴミ箱位置切換装置が前記切換空間の底壁に回転できるように設置される位置切換軸を含み、前記位置切換軸が下へ前記切換空間の中まで伸びており、前記位置切換軸の上端が前記清掃空間の中まで伸びており、前記清掃空間の中には前記位置切換軸の上端に固定的に設置される前記位置切換板が設置され、前記位置切換板の上端面には前記箱溝が左右対称になるように設置され、左側にある前記箱溝の中にはゴミ箱が置いてあり、前記位置切換板の下端面には輪状溝が設置され、前記切換空間の中には前記位置切換軸に固定的に連結される左切換歯車が設置される。
【０００８】
優先的には、前記動力切換装置が前記切換空間の底壁に回転できるように設置される箱回し伝動軸を含み、前記箱回し伝動軸には左制御プーリが固定的に設置され、前記箱回し伝動軸の上端には右切換歯車が設置され、前記切換空間の底壁には前記箱回し伝動軸の右側に位置する制御歯車軸が回転できるように設置され、前記制御歯車軸が上へ前記清掃空間の中まで伸びており、前記制御歯車軸には右制御プーリが設置され、前記右制御プーリと前記左制御プーリとがベルトにより連結され、前記制御歯車軸には前記右制御プーリの上側に位置するスイッチ歯車が固定的に設置され、前記清掃箱の中には前記切換空間の下側に位置するスイッチ空間が設置され、前記切換空間の底壁には前記制御歯車軸の右側に位置する制御回転軸が回転できるように設置され、前記制御回転軸の下端が前記スイッチ空間の中まで伸びており、前記切換空間の中には前記制御回転軸の上端に固定的に連結される変速歯車が設置され、前記変速歯車が前記スイッチ歯車と噛み合い、前記スイッチ空間の中には前記制御回転軸の下端に固定的に連結されるスイッチプレートが設置され、前記スイッチ空間の右壁にはセンサースイッチが固定的に設置される。
【０００９】
前記動力切換装置はまた前記モーターの下端面に固定的に設置されるモーター連結ロッドを含み、前記モーター連結ロッドの下端が前記脱ガス空間の中まで伸びており、前記脱ガス空間の右壁には前記センサースイッチと電気的に接続される前記空気ポンプが設置され、前記脱ガス空間の頂壁にはガス充填ピストンシリンダーが固定的に設置され、前記ガス充填ピストンシリンダーの中には前記空気ポンプと連通されるガス充填空間の中にはピストンがスライドできるように設置され、前記ピストンの左端面にはピストンロッドが固定的に設置され、前記ピストンロッドの左端が前記脱ガス空間の中まで伸びており、前記ピストンロッドの左端と前記モーター連結ロッドの下端とが固定的に連結される。
【００１０】
前記動力切換装置はまた前記ガス充填ピストンシリンダーの下端面に固定的に設置され、且つ、前記ガス充填空間と連通される脱ガスパイプを含み、前記脱ガスパイプが下方に開口しており、前記脱ガス空間の中には前記位置切換軸の外周面に固定的に連結される脱ガス制御板が設置され、前記脱ガス空間の頂壁には緩衝スライド溝が設置され、前記緩衝スライド溝の中には緩衝スライドロッドがスライドできるように設置され、前記緩衝スライドロッドの後端面と前記緩衝スライド溝の後壁との間が前記緩衝ばねにより固定的に連結され、前記緩衝スライドロッドの下端には脱ガス連結ロッドが固定的に設置され、前記脱ガス連結ロッドの上端面には前記位置切換軸の左右両側に位置する左右対称の脱ガス押圧板が固定的に設置され、前記脱ガス連結ロッドの前端面には脱ガススイッチプレートが固定的に設置され、前記脱ガススイッチプレートが前記脱ガスパイプの壁体とスライドできるように設置され、且つ前記脱ガスパイプの中まで伸びておる。
【００１１】
優先的には、前記外部清掃装置が前記清掃空間の底壁に設置される切換板スライド溝を含み、前記切換板スライド溝の中には切換板がスライドできるように設置され、前記清掃空間の中には前記制御歯車軸の上端に固定的に連結される伝動傘歯車が設置され、前記清掃空間の右壁には傘歯車軸が回転できるように設置され、前記傘歯車軸には前記伝動傘歯車と噛み合う右伝動傘歯車が固定的に設置され、前記傘歯車軸には前記右伝動傘歯車の左側に位置する下伝動ベルト車が固定的に設置され、前記清掃空間の右壁には中空回転軸が回転できるように設置され、前記中空回転軸の左端には上伝動ベルト車が固定的に設置され、前記上伝動ベルト車と前記下伝動ベルト車とがベルトにより連結され、前記上伝動ベルト車の中には親ねじが螺合され、前記切換板の右端面にはばねが固定的に設置され、前記親ねじの左端と前記ばねとが固定的に連結され、前記切換板の右端面にはブラケットロッドが固定的に設置され、前記ブラケットロッドの左端には前記ホルダリングが固定的に設置され、前記切換板の左端面には箱外部ブラシ固定板が前後対称になるように固定的に設置され、前記箱外部ブラシ固定板の下端面には外毛払いが固定的に設置され、前記切換板の上端面には前記伝動ラックが固定的に設置される。
【００１２】
優先的には、前記箱リフト装置が回転軸により前記清掃空間の底壁に回転できるように設置される回転傘歯車を含み、前記回転傘歯車の上端面にはシリンダースリーブが固定的に設置され、前記シリンダースリーブの中には油圧シリンダが固定的に設置され、前記油圧シリンダの動力軸の上端には上昇板が固定的に設置され、前記上昇板が前記輪状溝の中まで伸びており、且つ前記輪状溝とスライドできるように設置され、前記切換板の左端面には前記ブラケットロッドの下側に位置するスプラインスリーブが回転できるように設置され、前記スプラインスリーブが前記傘歯車軸とスプラインによって結合され、前記スプラインスリーブの左端には方向切換傘歯車が固定的に設置され、前記内部清掃装置が前記清掃空間の頂壁に固定的に設置される押しノズルを含み、前記清掃空間の左壁には前記側ノズルが固定的に設置され、前記清掃空間の後壁には外部と連通される排水パイプが固定的に設置され、前記清掃空間の後壁にはリール軸が回転できるように設置され、前記リール軸には前記伝動ラックと噛み合う伝動歯車が固定的に設置され、前記リール軸には前記伝動歯車の前側に位置する前記リールが固定的に設置され、前記リールには引き線が周設され、前記清掃空間の後壁にはスライドロッドがスライドできるように設置され、前記スライドロッドの下端には内毛払いが固定的に設置され、前記引き線が前記清掃空間の後壁に回転できるように設置される糸巻き方向切換輪を回避して前記スライドロッドの上端に固定的に連結される。
【発明の効果】
【００１３】
上記の記載により、本装置は機構が簡単で、使用が便利で、ゴミ箱に対して自動的な清掃を実現でき、清掃の全過程は装置内で行われ、汚れた水の噴き出しを回避でき、清掃している過程中にゴミ箱の内部と、箱壁を同時に清掃でき、清掃の効率を大いに高め、人件費を下げ、清掃スタッフの労働強度を下げ、ゴミ箱がきれいであることを保証できる。
【図面の簡単な説明】
【００１４】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１５】
【図１】図１は本発明のゴミ箱清掃装置の総体構造概略図
【図２】図２は図１のＡ−Ａのところの構造概略図
【図３】図３は図１のＢ−Ｂのところの構造概略図
【図４】図４は図１のＣのところの構造概略図
【発明を実施するための形態】
【００１６】
相互排斥する特徴またはステップを除き、本説明書に公開したすべての特徴、若しくは公開したすべての方法または過程中のステップはいずれもあらゆる方式で組み合わせることができる。
【００１７】
本説明書（すべての特許請求の範囲と、要約書と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１８】
図１−４に示しているように、本発明はゴミ箱清掃装置であり、清掃箱１０と、前記清掃箱１０の中に設置される清掃空間１１を含み、前記清掃空間１１の中にはゴミ箱位置切換装置が設置され、前記ゴミ箱位置切換装置の中には位置切換板４４が設置され、前記位置切換板４４には二つの箱溝２２が設置され、前記清掃空間１１の中には内部清掃装置が設置され、前記内部清掃装置が前記清掃空間１１の中に設置される側ノズル４１を含み、前記清掃空間１１の中には外部清掃装置が設置され、前記外部清掃装置の中には伝動ラック１３が設置され、前記内部清掃装置にはリール１４が設置され、前記伝動ラック１３が前記リール１４をコントロールして糸の繰り出し又は繰り入れを実現でき、前記外部清掃装置の中にはホルダリング２１を含み、前記清掃空間１１の中には箱リフト装置が設置され、前記箱リフト装置が前記外部清掃装置と協働し合え、また協働し合うる時にゴミ箱を回転させることができ、前記箱リフト装置が作動している時にゴミ箱と前記ホルダリング２１を協働し合わせることができる。
【００１９】
ゴミ箱清掃装置はまた前記清掃箱１０の中に設置される切換空間５７を含み、前記切換空間５７の中には動力装置が設置され、前記清掃箱１０の中には脱ガス空間５０が設置され、前記脱ガス空間５０の中には動力切換装置が設置され、前記動力切換装置が空気ポンプ７２の起動と停止により前記動力装置をコントロールして運動させ、前記動力装置が前記動力切換装置の作用により前記ゴミ箱位置切換装置と、前記桶リフト装置と、前記外部清掃装置と協働し合える。
【００２０】
有益なように、前記動力装置が前記切換空間５７の底壁に設置されるスライド空間３６を含み、前記スライド空間３６の中にはモーター３７がスライドできるように設置され、前記モーター３７の右端面と前記スライド空間３６の右壁との間が位置戻しばね３８により固定的に連結され、前記モーター３７の上端には動力軸により動力歯車４５が設置され、前記ゴミ箱位置切換装置が前記切換空間５７の底壁に回転できるように設置される位置切換軸４７を含み、前記位置切換軸４７が下へ前記切換空間５７の中まで伸びており、前記位置切換軸４７の上端が前記清掃空間１１の中まで伸びており、前記清掃空間１１の中には前記位置切換軸４７の上端に固定的に設置される前記位置切換板４４が設置され、前記位置切換板４４の上端面には前記箱溝２２が左右対称になるように設置され、左側にある前記箱溝２２の中にはゴミ箱４２が置いてあり、前記位置切換板４４の下端面には輪状溝４３が設置され、前記切換空間５７の中には前記位置切換軸４７に固定的に連結される左切換歯車４６が設置される。
【００２１】
有益なように、前記動力切換装置が前記切換空間５７の底壁に回転できるように設置される箱回し伝動軸３１を含み、前記箱回し伝動軸３１には左制御プーリ３５が固定的に設置され、前記箱回し伝動軸３１の上端には右切換歯車３４が設置され、前記切換空間５７の底壁には前記箱回し伝動軸３１の右側に位置する制御歯車軸３０が回転できるように設置され、前記制御歯車軸３０が上へ前記清掃空間１１の中まで伸びており、前記制御歯車軸３０には右制御プーリ３２が設置され、前記右制御プーリ３２と前記左制御プーリ３５とがベルトにより連結され、前記制御歯車軸３０には前記右制御プーリ３２の上側に位置するスイッチ歯車５９が固定的に設置され、前記清掃箱１０の中には前記切換空間５７の下側に位置するスイッチ空間５５が設置され、前記切換空間５７の底壁には前記制御歯車軸３０の右側に位置する制御回転軸３３が回転できるように設置され、前記制御回転軸３３の下端が前記スイッチ空間５５の中まで伸びており、前記切換空間５７の中には前記制御回転軸３３の上端に固定的に連結される変速歯車５８が設置され、前記変速歯車５８が前記スイッチ歯車５９と噛み合い、前記スイッチ空間５５の中には前記制御回転軸３３の下端に固定的に連結されるスイッチプレート５４が設置され、前記スイッチ空間５５の右壁にはセンサースイッチ５６が固定的に設置される。
【００２２】
前記動力切換装置はまた前記モーター３７の下端面に固定的に設置されるモーター連結ロッド５２を含み、前記モーター連結ロッド５２の下端が前記脱ガス空間５０の中まで伸びており、前記脱ガス空間５０の右壁には前記センサースイッチ５６と電気的に接続される前記空気ポンプ７２が設置され、前記脱ガス空間５０の頂壁にはガス充填ピストンシリンダー７１が固定的に設置され、前記ガス充填ピストンシリンダー７１の中には前記空気ポンプ７２と連通されるガス充填空間７０の中にはピストン７５がスライドできるように設置され、前記ピストン７５の左端面にはピストンロッド５３が固定的に設置され、前記ピストンロッドの左端が前記脱ガス空間５０の中まで伸びており、前記ピストンロッド５３の左端と前記モーター連結ロッド５２の下端とが固定的に連結される。
【００２３】
前記動力切換装置はまた前記ガス充填ピストンシリンダー７１の下端面に固定的に設置され、且つ、前記ガス充填空間７０と連通される脱ガスパイプ７３を含み、前記脱ガスパイプ７３が下方に開口しており、前記脱ガス空間５０の中には前記位置切換軸４７の外周面に固定的に連結される脱ガス制御板４８が設置され、前記脱ガス空間５０の頂壁には緩衝スライド溝６８が設置され、前記緩衝スライド溝６８の中には緩衝スライドロッド４９がスライドできるように設置され、前記緩衝スライドロッド４９の後端面と前記緩衝スライド溝６８の後壁との間が前記緩衝ばね７７により固定的に連結され、前記緩衝スライドロッド４９の下端には脱ガス連結ロッド６９が固定的に設置され、前記脱ガス連結ロッド６９の上端面には前記位置切換軸４７の左右両側に位置する左右対称の脱ガス押圧板５１が固定的に設置され、前記脱ガス連結ロッド６９の前端面には脱ガススイッチプレート７４が固定的に設置され、前記脱ガススイッチプレート７４が前記脱ガスパイプ７３の壁体とスライドできるように設置され、且つ前記脱ガスパイプ７３の中まで伸びておる。
【００２４】
有益なように、前記外部清掃装置が前記清掃空間１１の底壁に設置される切換板スライド溝２８を含み、前記切換板スライド溝２８の中には切換板６７がスライドできるように設置され、前記清掃空間１１の中には前記制御歯車軸３０の上端に固定的に連結される伝動傘歯車６０が設置され、前記清掃空間１１の右壁には傘歯車軸６１が回転できるように設置され、前記傘歯車軸６１には前記伝動傘歯車６０と噛み合う右伝動傘歯車６３が固定的に設置され、前記傘歯車軸６１には前記右伝動傘歯車６３の左側に位置する下伝動ベルト車６２が固定的に設置され、前記清掃空間１１の右壁には中空回転軸６６が回転できるように設置され、前記中空回転軸６６の左端には上伝動ベルト車６４が固定的に設置され、前記上伝動ベルト車６４と前記下伝動ベルト車６２とがベルトにより連結され、前記上伝動ベルト車６４の中には親ねじ６５が螺合され、前記切換板６７の右端面にはばね８０が固定的に設置され、前記親ねじ６５の左端と前記ばね８０とが固定的に連結され、前記切換板６７の右端面にはブラケットロッド２０が固定的に設置され、前記ブラケットロッド２０の左端には前記ホルダリング２１が固定的に設置され、前記切換板６７の左端面には箱外部ブラシ固定板１２が前後対称になるように固定的に設置され、前記箱外部ブラシ固定板１２の下端面には外毛払い１９が固定的に設置され、前記切換板６７の上端面には前記伝動ラック１３が固定的に設置される。
【００２５】
有益なように、前記箱リフト装置が回転軸により前記清掃空間１１の底壁に回転できるように設置される回転傘歯車２９を含み、前記回転傘歯車２９の上端面にはシリンダースリーブ２７が固定的に設置され、前記シリンダースリーブ２７の中には油圧シリンダ２６が固定的に設置され、前記油圧シリンダ２６の動力軸の上端には上昇板２３が固定的に設置され、前記上昇板２３が前記輪状溝４３の中まで伸びており、且つ前記輪状溝４３とスライドできるように設置され、前記切換板６７の左端面には前記ブラケットロッド２０の下側に位置するスプラインスリーブ２４が回転できるように設置され、前記スプラインスリーブ２４が前記傘歯車軸６１とスプラインによって結合され、前記スプラインスリーブ２４の左端には方向切換傘歯車２５が固定的に設置され、前記内部清掃装置が前記清掃空間１１の頂壁に固定的に設置される押しノズル４０を含み、前記清掃空間１１の左壁には前記側ノズル４１が固定的に設置され、前記清掃空間１１の後壁には外部と連通される排水パイプ７６が固定的に設置され、前記清掃空間１１の後壁にはリール軸１５が回転できるように設置され、前記リール軸１５には前記伝動ラック１３と噛み合う伝動歯車１６が固定的に設置され、前記リール軸１５には前記伝動歯車１６の前側に位置する前記リール１４が固定的に設置され、前記リール１４には引き線９０が周設され、前記清掃空間１１の後壁にはスライドロッド１７がスライドできるように設置され、前記スライドロッド１７の下端には内毛払い１８が固定的に設置され、前記引き線９０が前記清掃空間１１の後壁に回転できるように設置される糸巻き方向切換輪３９を回避して前記スライドロッド１７の上端に固定的に連結される。
【００２６】
下記には、申請人は付図１−４と、上記の記載を参考して本申請のゴミ箱清掃装置を具体的に紹介する。
【００２７】
初期状態にある時、前記スイッチプレート５４が前記センサースイッチ５６と協働し合い、前記空気ポンプ７２が前記ガス充填空間７０を気体で満たした後に停止し、前記位置戻しばね３８が引っ張り状態であり、前記油圧シリンダ２６が作動していなく、前記回転傘歯車２９と、前記方向切換傘歯車２５が噛み合っていなく、前記動力歯車４５が前記左切換歯車４６と噛み合い、前記排水パイプ７６が閉じる状態にある。
【００２８】
作動開始の時、前記側ノズル４１と、前記押しノズル４０が水を噴き出し、前記ゴミ箱４２を左側の前記箱溝２２の中に置き、前記モーター３７が起動して前記動力歯車４５を回転させ、前記動力歯車４５が前記左切換歯車４６を連動させて回転させ、前記左切換歯車４６が前記位置切換軸４７を連動させて回転させ、前記位置切換軸４７が前記位置切換板４４を連動させて回転させ、前記位置切換板４４が回転して前記ゴミ箱４２を前記清掃空間１１の中まで回転させ、前記位置切換軸４７の回転と位置切換が完了した後、前記脱ガス制御板４８が右側の前記脱ガス押出板５１を後方へ押し、前記脱ガス押出板５１が後方へ運動することにより前記脱ガス連結ロッド６９を連動させて後方へ運動させて、且つ前記脱ガススイッチプレート７４を後方へ運動させ、前記脱ガススイッチプレート７４が前記脱ガスパイプ７３を起動させて脱ガスを行い、前記ガス充填空間７０の中の気体が排出され、前記モーター３７が前記位置戻しばね３８の位置戻しの作用により右へ運動して前記動力歯車４５を前記左切換歯車４６から離れさせ、前記動力歯車４５が前記右切換歯車３４と噛み合い、前記動力歯車４５が前記右切換歯車３４を連動させて回転させ、前記右切換歯車３４が前記箱回し伝動軸３１を連動させて回転させ、前記箱回し伝動軸３１が前記左制御プーリ３５を連動させて回転させ、前記左制御プーリ３５が前記右制御プーリ３２を連動させて回転させ、前記右制御プーリ３２が前記制御歯車軸３０を連動させて回転させ、前記制御歯車軸３０が前記スイッチ歯車５９を連動させて回転させ、前記制御歯車軸３０が前記伝動傘歯車６０を連動させて回転させ、前記伝動傘歯車６０が前記右伝動傘歯車６３により前記傘歯車軸６１を連動させて回転させ、前記傘歯車軸６１が前記スプラインスリーブ２４を連動させて回転させ、前記スプラインスリーブ２４が前記方向切換傘歯車２５を連動させて回転させ、前記傘歯車軸６１が前記下伝動ベルト車６２を連動させて回転させ、前記下伝動ベルト車６２が前記上伝動ベルト車６４を連動させて回転させて前記親ねじ６５を左へ運動させ、前記切換板６７が左へ運動して前記方向切換傘歯車２５を前記回転傘歯車２９と噛み合わせ、前記方向切換傘歯車２５が前記回転傘歯車２９を連動させて回転させ、前記油圧シリンダ２６の起動が前記上昇板２３を上がらせて前記ゴミ箱４２を上方へ持ち上げ、前記回転傘歯車２９が前記シリンダースリーブ２７を連動させて回転させ、前記シリンダースリーブ２７が前記油圧シリンダ２６により前記上昇板２３を連動させて回転させ、前記上昇板２３が前記ゴミ箱４２を連動させて回転させる。
【００２９】
清掃開始の時、前記親ねじ６５が前記切換板６７を連動させて左へ運動させて前記ホルダリング２１と前記ゴミ箱４２とを協働し合わせて固定を行い、前記外毛払い１９が前記ゴミ箱４２の外周面と当接し、前記伝動ラック１３が左へ運動する時に前記伝動歯車１６を連動させて回転させ、前記伝動歯車１６が前記リール軸１５により前記リール１４を連動させて回転させ、前記リール１４が糸を繰り出し、前記引き線９０が前記スライドロッド１７を連動させて下がらせ、前記スライドロッド１７が前記内毛払い１８を連動させて前記ゴミ箱４２の中に挿入させ、それにより清掃を始める。
【００３０】
清掃が完了した後、前記排水パイプ７６を開けて水を排出し、前記切換空間５７が反転することにより前記内部清掃装置と、外部清掃装置が元の位置に戻り、前記油圧シリンダ２６が起動して前記上昇板２３を元の位置に戻らせ、前記スイッチ歯車５９が前記変速歯車５８により減速した後に前記制御回転軸３３を連動させて回転させ、前記制御回転軸３３が前記スイッチプレート５４を連動させて前記センサースイッチ５６と再度協働し合わせて前記空気パイプ７２を起動させて前記ガス充填空間７０の中へ空気を詰めて前記ピストン７５を左へ運動させ、前記ピストン７５が前記ピストンロッド５３と、前記モーター連結ロッド５２により前記モーター３７を連動させて右へ運動させて前記動力歯車４５を前記左切換歯車４６と再び噛み合わせ、前記動力歯車４５が前記左切換歯車４６と噛み合う時に、前記モーター３７が反転して、前記ゴミ箱４２を送り出した後、前記モーター３７が停止し、この時に次回の作業を行うことができる。
【００３１】
上記の記載により、本装置は機構が簡単で、使用が便利で、ゴミ箱に対して自動的な清掃を実現でき、清掃の全過程は装置内で行われ、汚れた水の噴き出しを回避でき、清掃している過程中にゴミ箱の内部と、箱壁を同時に清掃でき、清掃の効率を大いに高め、人件費を下げ、清掃スタッフの労働強度を下げ、ゴミ箱がきれいであることを保証できる。
【００３２】
上記の記載はただ本発明における具体的な実施方式であり、但し本発明の保護範囲はこれに限定されるものではなく、創造的な労働を通じなく想到されるあらゆる変化と立ち代わりは本発明の保護範囲の中にカバーすべきであり、そのために、本発明の保護範囲は特許請求の範囲に限定された保護範囲に準じるべきである。
【図１】
2020171909.tif 000003
【図２】
2020171909.tif 000004
【図３】
2020171909.tif 000005
【図４】
2020171909.tif 000006
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
清掃箱と、前記清掃箱の中に設置される清掃空間を含み、前記清掃空間の中にはゴミ箱位置切換装置が設置され、前記ゴミ箱位置切換装置の中には位置切換板が設置され、前記位置切換板には二つの箱溝が設置され、前記清掃空間の中には内部清掃装置が設置され、前記内部清掃装置が前記清掃空間の中に設置される側ノズルを含み、前記清掃空間の中には外部清掃装置が設置され、前記外部清掃装置の中には伝動ラックが設置され、前記内部清掃装置にはリールが設置され、前記伝動ラックが前記リールをコントロールして糸の繰り出し又は繰り入れを実現でき、前記外部清掃装置の中にはホルダリングを含み、前記清掃空間の中には箱リフト装置が設置され、前記箱リフト装置が前記外部清掃装置と協働し合え、また協働し合う時にゴミ箱を回転させることができ、前記箱リフト装置が作動している時にゴミ箱と前記ホルダリングを協働し合わせることができ、
ゴミ箱清掃装置はまた前記清掃箱の中に設置される切換空間を含み、前記切換空間の中には動力装置が設置され、前記清掃箱の中には脱ガス空間が設置され、前記脱ガス空間の中には動力切換装置が設置され、前記動力切換装置が空気ポンプの起動と停止により前記動力装置をコントロールして運動させ、前記動力装置が前記動力切換装置の作用により前記ゴミ箱位置切換装置と、前記箱リフト装置と、前記外部清掃装置と協働し合え、
前記動力装置が前記切換空間の底壁に設置されるスライド空間を含み、前記スライド空間の中にはモーターがスライドできるように設置され、前記モーターの右端面と前記スライド空間の右壁との間が位置戻しばねにより固定的に連結され、前記モーターの上端には動力軸により動力歯車が設置され、前記ゴミ箱位置切換装置が前記切換空間の底壁に回転できるように設置される位置切換軸を含み、前記位置切換軸が下へ前記脱ガス空間の中まで伸びており、前記位置切換軸の上端が前記清掃空間の中まで伸びており、前記清掃空間の中には前記位置切換軸の上端に固定的に設置される前記位置切換板が設置され、前記位置切換板の上端面には前記箱溝が左右対称になるように設置され、左側にある前記箱溝の中にはゴミ箱が置いてあり、前記位置切換板の下端面には輪状溝が設置され、前記切換空間の中には前記位置切換軸に固定的に連結される左切換歯車が設置され、
前記動力切換装置が前記切換空間の底壁に回転できるように設置される箱回し伝動軸を含み、前記箱回し伝動軸には左制御プーリが固定的に設置され、前記箱回し伝動軸の上端には右切換歯車が設置され、前記切換空間の底壁には前記箱回し伝動軸の右側に位置する制御歯車軸が回転できるように設置され、前記制御歯車軸が上へ前記清掃空間の中まで伸びており、前記制御歯車軸には右制御プーリが設置され、前記右制御プーリと前記左制御プーリとがベルトにより連結され、前記制御歯車軸には前記右制御プーリの上側に位置するスイッチ歯車が固定的に設置され、前記清掃箱の中には前記切換空間の下側に位置するスイッチ空間が設置され、前記切換空間の底壁には前記制御歯車軸の右側に位置する制御回転軸が回転できるように設置され、前記制御回転軸の下端が前記スイッチ空間の中まで伸びており、前記切換空間の中には前記制御回転軸の上端に固定的に連結される変速歯車が設置され、前記変速歯車が前記スイッチ歯車と噛み合い、前記スイッチ空間の中には前記制御回転軸の下端に固定的に連結されるスイッチプレートが設置され、前記スイッチ空間の右壁にはセンサースイッチが固定的に設置され、
前記動力切換装置はまた前記ガス充填ピストンシリンダーの下端面に固定的に設置され、且つ、前記ガス充填空間と連通される脱ガスパイプを含み、前記脱ガスパイプが下方に開口しており、前記脱ガス空間の中には前記位置切換軸の外周面に固定的に連結される脱ガス制御板が設置され、前記脱ガス空間の頂壁には緩衝スライド溝が設置され、前記緩衝スライド溝の中には緩衝スライドロッドがスライドできるように設置され、前記緩衝スライドロッドの後端面と前記緩衝スライド溝の後壁との間が緩衝ばねにより固定的に連結され、前記緩衝スライドロッドの下端には脱ガス連結ロッドが固定的に設置され、前記脱ガス連結ロッドの上端面には前記位置切換軸の左右両側に位置する左右対称の脱ガス押圧板が固定的に設置され、前記脱ガス連結ロッドの前端面には脱ガススイッチプレートが固定的に設置され、前記脱ガススイッチプレートの前側が前記脱ガスパイプの中に伸びて前記脱ガスパイプを密封し、
前記外部清掃装置が前記清掃空間の底壁に設置される切換板スライド溝を含み、前記切換板スライド溝の中には切換板がスライドできるように設置され、前記清掃空間の中には前記制御歯車軸の上端に固定的に連結される伝動傘歯車が設置され、前記清掃空間の右壁には傘歯車軸が回転できるように設置され、前記傘歯車軸には前記伝動傘歯車と噛み合う右伝動傘歯車が固定的に設置され、前記傘歯車軸には前記右伝動傘歯車の左側に位置する下伝動ベルト車が固定的に設置され、前記清掃空間の右壁には中空回転軸が回転できるように設置され、前記中空回転軸の左端には上伝動ベルト車が固定的に設置され、前記上伝動ベルト車と前記下伝動ベルト車とがベルトにより連結され、前記上伝動ベルト車の中には親ねじが螺合され、前記切換板の右端面にはばねが固定的に設置され、前記親ねじの左端と前記ばねとが固定的に連結され、前記親ねじが左右に移動するときばねにより切換板を左右に移動させ、前記切換板の左端面にはブラケットロッドが固定的に設置され、前記ブラケットロッドの左端には前記ホルダリングが固定的に設置され、前記切換板の左端面には箱外部ブラシ固定板が前後対称になるように固定的に設置され、前記箱外部ブラシ固定板の下端面には外毛払いが固定的に設置され、前記切換板の上端面には前記伝動ラックが固定的に設置され、
前記箱リフト装置が回転軸により前記清掃空間の底壁に回転できるように設置される回転傘歯車を含み、前記回転傘歯車の上端面にはシリンダースリーブが固定的に設置され、前記シリンダースリーブの中には油圧シリンダが固定的に設置され、前記油圧シリンダの動力軸の上端には上昇板が固定的に設置され、前記上昇板が前記輪状溝の中まで伸びており、且つ前記輪状溝とスライドできるように設置され、前記切換板の左端面には前記ブラケットロッドの下側に位置するスプラインスリーブが回転できるように設置され、前記スプラインスリーブが前記傘歯車軸とスプラインによって結合され、前記スプラインスリーブの左端には方向切換傘歯車が固定的に設置され、前記内部清掃装置が前記清掃空間の頂壁に固定的に設置される押しノズルを含み、前記清掃空間の左壁には前記側ノズルが固定的に設置され、前記清掃空間の後壁には外部と連通される排水パイプが固定的に設置され、前記清掃空間の後壁にはリール軸が回転できるように設置され、前記リール軸には前記伝動ラックと噛み合う伝動歯車が固定的に設置され、前記リール軸には前記伝動歯車の前側に位置する前記リールが固定的に設置され、前記リールには引き線が周設され、前記清掃空間の後壁には上下にスライドできるスライドロッドが設置され、前記スライドロッドの下端には内毛払いが固定的に設置され、前記引き線が前記清掃空間の後壁に回転できるように設置される糸巻き方向切換輪を通って前記スライドロッドの上端に固定的に連結されることを特徴とするゴミ箱清掃装置。
【手続補正２】
【補正対象書類名】明細書
【補正対象項目名】全文
【補正方法】変更
【補正の内容】
【発明の詳細な説明】
【技術分野】
【０００１】
本発明は機械技術分野に関わり、具体的にはゴミ箱清掃装置である。
【背景技術】
【０００２】
オフィスなどの人が多い場所には、ゴミを生み出しやすくて、多くのゴミ箱を配置する必要があり、ゴミ箱を長時間使用すると、箱の表面にはより多くの汚れ目が出て、細菌が発生しやすく、且つ街の美しさにも悪影響を与え、伝統的な解決方法は清掃スタッフにより清掃し、労働強度が高くて、清掃する過程中にゴミ箱をきれいに清掃することを実現しにくくて、一定程度の衛生上の問題が存在している。
【先行技術文献】
【特許文献】
【０００３】
【特許文献１】中国特許出願公開第１０９０４７２３５号明細書
【発明の概要】
【発明が解決しようとする課題】
【０００４】
上記の技術の不足に対して、本発明はゴミ箱清掃装置を開示し、上記の問題を解決できる。
【課題を解決するための手段】
【０００５】
本発明はゴミ箱清掃装置であり、清掃箱と、前記清掃箱の中に設置される清掃空間を含み、前記清掃空間の中にはゴミ箱位置切換装置が設置され、前記ゴミ箱位置切換装置の中には位置切換板が設置され、前記位置切換板には二つの箱溝が設置され、前記清掃空間の中には内部清掃装置が設置され、前記内部清掃装置が前記清掃空間の中に設置される側ノズルを含み、前記清掃空間の中には外部清掃装置が設置され、前記外部清掃装置の中には伝動ラックが設置され、前記内部清掃装置にはリールが設置され、前記伝動ラックが前記リールをコントロールして糸の繰り出し又は繰り入れを実現でき、前記外部清掃装置の中にはホルダリングを含み、前記清掃空間の中には箱リフト装置が設置され、前記箱リフト装置が前記外部清掃装置と協働し合え、また協働している時にゴミ箱を回転させることができ、前記箱リフト装置が作動している時にゴミ箱と前記ホルダリングを協働し合わせることができる。
【０００６】
ゴミ箱清掃装置はまた前記清掃箱の中に設置される切換空間を含み、前記切換空間の中には動力装置が設置され、前記清掃箱の中には脱ガス空間が設置され、前記脱ガス空間の中には動力切換装置が設置され、前記動力切換装置が空気ポンプの起動と停止により前記動力装置をコントロールして運動させ、前記動力装置が前記動力切換装置の作用により前記ゴミ箱位置切換装置と、前記箱リフト装置と、前記外部清掃装置と協働し合える。
【０００７】
優先的には、前記動力装置が前記切換空間の底壁に設置されるスライド空間を含み、前記スライド空間の中にはモーターがスライドできるように設置され、前記モーターの右端面と前記スライド空間の右壁との間が位置戻しばねにより固定的に連結され、前記モーターの上端には動力軸により動力歯車が設置され、前記ゴミ箱位置切換装置が前記切換空間の底壁に回転できるように設置される位置切換軸を含み、前記位置切換軸が下へ前記脱ガス空間の中まで伸びており、前記位置切換軸の上端が前記清掃空間の中まで伸びており、前記清掃空間の中には前記位置切換軸の上端に固定的に設置される前記位置切換板が設置され、前記位置切換板の上端面には前記箱溝が左右対称になるように設置され、左側にある前記箱溝の中にはゴミ箱が置いてあり、前記位置切換板の下端面には輪状溝が設置され、前記切換空間の中には前記位置切換軸に固定的に連結される左切換歯車が設置される。
【０００８】
優先的には、前記動力切換装置が前記切換空間の底壁に回転できるように設置される箱回し伝動軸を含み、前記箱回し伝動軸には左制御プーリが固定的に設置され、前記箱回し伝動軸の上端には右切換歯車が設置され、前記切換空間の底壁には前記箱回し伝動軸の右側に位置する制御歯車軸が回転できるように設置され、前記制御歯車軸が上へ前記清掃空間の中まで伸びており、前記制御歯車軸には右制御プーリが設置され、前記右制御プーリと前記左制御プーリとがベルトにより連結され、前記制御歯車軸には前記右制御プーリの上側に位置するスイッチ歯車が固定的に設置され、前記清掃箱の中には前記切換空間の下側に位置するスイッチ空間が設置され、前記切換空間の底壁には前記制御歯車軸の右側に位置する制御回転軸が回転できるように設置され、前記制御回転軸の下端が前記スイッチ空間の中まで伸びており、前記切換空間の中には前記制御回転軸の上端に固定的に連結される変速歯車が設置され、前記変速歯車が前記スイッチ歯車と噛み合い、前記スイッチ空間の中には前記制御回転軸の下端に固定的に連結されるスイッチプレートが設置され、前記スイッチ空間の右壁にはセンサースイッチが固定的に設置される。
【０００９】
前記動力切換装置はまた前記モーターの下端面に固定的に設置されるモーター連結ロッドを含み、前記モーター連結ロッドの下端が前記脱ガス空間の中まで伸びており、前記脱ガス空間の右壁には前記センサースイッチと電気的に接続される前記空気ポンプが設置され、前記脱ガス空間の頂壁にはガス充填ピストンシリンダーが固定的に設置され、前記ガス充填ピストンシリンダーの中には前記空気ポンプと連通されるガス充填空間の中にはピストンがスライドできるように設置され、前記ピストンの左端面にはピストンロッドが固定的に設置され、前記ピストンロッドの左端が前記脱ガス空間の中まで伸びており、前記ピストンロッドの左端と前記モーター連結ロッドの下端とが固定的に連結される。
【００１０】
前記動力切換装置はまた前記ガス充填ピストンシリンダーの下端面に固定的に設置され、且つ、前記ガス充填空間と連通される脱ガスパイプを含み、前記脱ガスパイプが下方に開口しており、前記脱ガス空間の中には前記位置切換軸の外周面に固定的に連結される脱ガス制御板が設置され、前記脱ガス空間の頂壁には緩衝スライド溝が設置され、前記緩衝スライド溝の中には緩衝スライドロッドがスライドできるように設置され、前記緩衝スライドロッドの後端面と前記緩衝スライド溝の後壁との間が緩衝ばねにより固定的に連結され、前記緩衝スライドロッドの下端には脱ガス連結ロッドが固定的に設置され、前記脱ガス連結ロッドの上端面には前記位置切換軸の左右両側に位置する左右対称の脱ガス押圧板が固定的に設置され、前記脱ガス連結ロッドの前端面には脱ガススイッチプレートが固定的に設置され、前記脱ガススイッチプレートの前側が前記脱ガスパイプの中に伸びて前記脱ガスパイプを密封する。
【００１１】
優先的には、前記外部清掃装置が前記清掃空間の底壁に設置される切換板スライド溝を含み、前記切換板スライド溝の中には切換板がスライドできるように設置され、前記清掃空間の中には前記制御歯車軸の上端に固定的に連結される伝動傘歯車が設置され、前記清掃空間の右壁には傘歯車軸が回転できるように設置され、前記傘歯車軸には前記伝動傘歯車と噛み合う右伝動傘歯車が固定的に設置され、前記傘歯車軸には前記右伝動傘歯車の左側に位置する下伝動ベルト車が固定的に設置され、前記清掃空間の右壁には中空回転軸が回転できるように設置され、前記中空回転軸の左端には上伝動ベルト車が固定的に設置され、前記上伝動ベルト車と前記下伝動ベルト車とがベルトにより連結され、前記上伝動ベルト車の中には親ねじが螺合され、前記切換板の右端面にはばねが固定的に設置され、前記親ねじの左端と前記ばねとが固定的に連結され、前記親ねじが左右に移動するときばねにより切換板を左右に移動させ、前記切換板の左端面にはブラケットロッドが固定的に設置され、前記ブラケットロッドの左端には前記ホルダリングが固定的に設置され、前記切換板の左端面には箱外部ブラシ固定板が前後対称になるように固定的に設置され、前記箱外部ブラシ固定板の下端面には外毛払いが固定的に設置され、前記切換板の上端面には前記伝動ラックが固定的に設置される。
【００１２】
優先的には、前記箱リフト装置が回転軸により前記清掃空間の底壁に回転できるように設置される回転傘歯車を含み、前記回転傘歯車の上端面にはシリンダースリーブが固定的に設置され、前記シリンダースリーブの中には油圧シリンダが固定的に設置され、前記油圧シリンダの動力軸の上端には上昇板が固定的に設置され、前記上昇板が前記輪状溝の中まで伸びており、且つ前記輪状溝とスライドできるように設置され、前記切換板の左端面には前記ブラケットロッドの下側に位置するスプラインスリーブが回転できるように設置され、前記スプラインスリーブが前記傘歯車軸とスプラインによって結合され、前記スプラインスリーブの左端には方向切換傘歯車が固定的に設置され、前記内部清掃装置が前記清掃空間の頂壁に固定的に設置される押しノズルを含み、前記清掃空間の左壁には前記側ノズルが固定的に設置され、前記清掃空間の後壁には外部と連通される排水パイプが固定的に設置され、前記清掃空間の後壁にはリール軸が回転できるように設置され、前記リール軸には前記伝動ラックと噛み合う伝動歯車が固定的に設置され、前記リール軸には前記伝動歯車の前側に位置する前記リールが固定的に設置され、前記リールには引き線が周設され、前記清掃空間の後壁には上下にスライドできるスライドロッドが設置され、前記スライドロッドの下端には内毛払いが固定的に設置され、前記引き線が前記清掃空間の後壁に回転できるように設置される糸巻き方向切換輪を通って前記スライドロッドの上端に固定的に連結される。
【発明の効果】
【００１３】
上記の記載により、本装置は機構が簡単で、使用が便利で、ゴミ箱に対して自動的な清掃を実現でき、清掃の全過程は装置内で行われ、汚れた水の噴き出しを回避でき、清掃している過程中にゴミ箱の内部と、箱壁を同時に清掃でき、清掃の効率を大いに高め、人件費を下げ、清掃スタッフの労働強度を下げ、ゴミ箱がきれいであることを保証できる。
【図面の簡単な説明】
【００１４】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１５】
【図１】図１は本発明のゴミ箱清掃装置の総体構造概略図
【図２】図２は図１のＡ−Ａのところの構造概略図
【図３】図３は図１のＢ−Ｂのところの構造概略図
【図４】図４は図１のＣのところの構造概略図
【発明を実施するための形態】
【００１６】
相互排斥する特徴またはステップを除き、本説明書に公開したすべての特徴、若しくは公開したすべての方法または過程中のステップはいずれもあらゆる方式で組み合わせることができる。
【００１７】
本説明書（すべての特許請求の範囲と、要約書と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１８】
図１−４に示しているように、本発明はゴミ箱清掃装置であり、清掃箱１０と、前記清掃箱１０の中に設置される清掃空間１１を含み、前記清掃空間１１の中にはゴミ箱位置切換装置が設置され、前記ゴミ箱位置切換装置の中には位置切換板４４が設置され、前記位置切換板４４には二つの箱溝２２が設置され、前記清掃空間１１の中には内部清掃装置が設置され、前記内部清掃装置が前記清掃空間１１の中に設置される側ノズル４１を含み、前記清掃空間１１の中には外部清掃装置が設置され、前記外部清掃装置の中には伝動ラック１３が設置され、前記内部清掃装置にはリール１４が設置され、前記伝動ラック１３が前記リール１４をコントロールして糸の繰り出し又は繰り入れを実現でき、前記外部清掃装置の中にはホルダリング２１を含み、前記清掃空間１１の中には箱リフト装置が設置され、前記箱リフト装置が前記外部清掃装置と協働し合え、また協働し合うる時にゴミ箱を回転させることができ、前記箱リフト装置が作動している時にゴミ箱と前記ホルダリング２１を協働し合わせることができる。
【００１９】
ゴミ箱清掃装置はまた前記清掃箱１０の中に設置される切換空間５７を含み、前記切換空間５７の中には動力装置が設置され、前記清掃箱１０の中には脱ガス空間５０が設置され、前記脱ガス空間５０の中には動力切換装置が設置され、前記動力切換装置が空気ポンプ７２の起動と停止により前記動力装置をコントロールして運動させ、前記動力装置が前記動力切換装置の作用により前記ゴミ箱位置切換装置と、前記箱リフト装置と、前記外部清掃装置と協働し合える。
【００２０】
有益なように、前記動力装置が前記切換空間５７の底壁に設置されるスライド空間３６を含み、前記スライド空間３６の中にはモーター３７がスライドできるように設置され、前記モーター３７の右端面と前記スライド空間３６の右壁との間が位置戻しばね３８により固定的に連結され、前記モーター３７の上端には動力軸により動力歯車４５が設置され、前記ゴミ箱位置切換装置が前記切換空間５７の底壁に回転できるように設置される位置切換軸４７を含み、前記位置切換軸４７が下へ前記脱ガス空間５０の中まで伸びており、前記位置切換軸４７の上端が前記清掃空間１１の中まで伸びており、前記清掃空間１１の中には前記位置切換軸４７の上端に固定的に設置される前記位置切換板４４が設置され、前記位置切換板４４の上端面には前記箱溝２２が左右対称になるように設置され、左側にある前記箱溝２２の中にはゴミ箱４２が置いてあり、前記位置切換板４４の下端面には輪状溝４３が設置され、前記切換空間５７の中には前記位置切換軸４７に固定的に連結される左切換歯車４６が設置される。
【００２１】
有益なように、前記動力切換装置が前記切換空間５７の底壁に回転できるように設置される箱回し伝動軸３１を含み、前記箱回し伝動軸３１には左制御プーリ３５が固定的に設置され、前記箱回し伝動軸３１の上端には右切換歯車３４が設置され、前記切換空間５７の底壁には前記箱回し伝動軸３１の右側に位置する制御歯車軸３０が回転できるように設置され、前記制御歯車軸３０が上へ前記清掃空間１１の中まで伸びており、前記制御歯車軸３０には右制御プーリ３２が設置され、前記右制御プーリ３２と前記左制御プーリ３５とがベルトにより連結され、前記制御歯車軸３０には前記右制御プーリ３２の上側に位置するスイッチ歯車５９が固定的に設置され、前記清掃箱１０の中には前記切換空間５７の下側に位置するスイッチ空間５５が設置され、前記切換空間５７の底壁には前記制御歯車軸３０の右側に位置する制御回転軸３３が回転できるように設置され、前記制御回転軸３３の下端が前記スイッチ空間５５の中まで伸びており、前記切換空間５７の中には前記制御回転軸３３の上端に固定的に連結される変速歯車５８が設置され、前記変速歯車５８が前記スイッチ歯車５９と噛み合い、前記スイッチ空間５５の中には前記制御回転軸３３の下端に固定的に連結されるスイッチプレート５４が設置され、前記スイッチ空間５５の右壁にはセンサースイッチ５６が固定的に設置される。
【００２２】
前記動力切換装置はまた前記モーター３７の下端面に固定的に設置されるモーター連結ロッド５２を含み、前記モーター連結ロッド５２の下端が前記脱ガス空間５０の中まで伸びており、前記脱ガス空間５０の右壁には前記センサースイッチ５６と電気的に接続される前記空気ポンプ７２が設置され、前記脱ガス空間５０の頂壁にはガス充填ピストンシリンダー７１が固定的に設置され、前記ガス充填ピストンシリンダー７１の中には前記空気ポンプ７２と連通されるガス充填空間７０の中にはピストン７５がスライドできるように設置され、前記ピストン７５の左端面にはピストンロッド５３が固定的に設置され、前記ピストンロッドの左端が前記脱ガス空間５０の中まで伸びており、前記ピストンロッド５３の左端と前記モーター連結ロッド５２の下端とが固定的に連結される。
【００２３】
前記動力切換装置はまた前記ガス充填ピストンシリンダー７１の下端面に固定的に設置され、且つ、前記ガス充填空間７０と連通される脱ガスパイプ７３を含み、前記脱ガスパイプ７３が下方に開口しており、前記脱ガス空間５０の中には前記位置切換軸４７の外周面に固定的に連結される脱ガス制御板４８が設置され、前記脱ガス空間５０の頂壁には緩衝スライド溝６８が設置され、前記緩衝スライド溝６８の中には緩衝スライドロッド４９がスライドできるように設置され、前記緩衝スライドロッド４９の後端面と前記緩衝スライド溝６８の後壁との間が緩衝ばね７７により固定的に連結され、前記緩衝スライドロッド４９の下端には脱ガス連結ロッド６９が固定的に設置され、前記脱ガス連結ロッド６９の上端面には前記位置切換軸４７の左右両側に位置する左右対称の脱ガス押圧板５１が固定的に設置され、前記脱ガス連結ロッド６９の前端面には脱ガススイッチプレート７４が固定的に設置され、前記脱ガススイッチプレート７４の前側が前記脱ガスパイプ７３の中に伸びて前記脱ガスパイプ７３を密封する。
【００２４】
有益なように、前記外部清掃装置が前記清掃空間１１の底壁に設置される切換板スライド溝２８を含み、前記切換板スライド溝２８の中には切換板６７がスライドできるように設置され、前記清掃空間１１の中には前記制御歯車軸３０の上端に固定的に連結される伝動傘歯車６０が設置され、前記清掃空間１１の右壁には傘歯車軸６１が回転できるように設置され、前記傘歯車軸６１には前記伝動傘歯車６０と噛み合う右伝動傘歯車６３が固定的に設置され、前記傘歯車軸６１には前記右伝動傘歯車６３の左側に位置する下伝動ベルト車６２が固定的に設置され、前記清掃空間１１の右壁には中空回転軸６６が回転できるように設置され、前記中空回転軸６６の左端には上伝動ベルト車６４が固定的に設置され、前記上伝動ベルト車６４と前記下伝動ベルト車６２とがベルトにより連結され、前記上伝動ベルト車６４の中には親ねじ６５が螺合され、前記切換板６７の右端面にはばね８０が固定的に設置され、前記親ねじ６５の左端と前記ばね８０とが固定的に連結され、前記親ねじ６５が左右に移動するときばね８０により切換板６７を左右に移動させ、前記切換板６７の左端面にはブラケットロッド２０が固定的に設置され、前記ブラケットロッド２０の左端には前記ホルダリング２１が固定的に設置され、前記切換板６７の左端面には箱外部ブラシ固定板１２が前後対称になるように固定的に設置され、前記箱外部ブラシ固定板１２の下端面には外毛払い１９が固定的に設置され、前記切換板６７の上端面には前記伝動ラック１３が固定的に設置される。
【００２５】
有益なように、前記箱リフト装置が回転軸により前記清掃空間１１の底壁に回転できるように設置される回転傘歯車２９を含み、前記回転傘歯車２９の上端面にはシリンダースリーブ２７が固定的に設置され、前記シリンダースリーブ２７の中には油圧シリンダ２６が固定的に設置され、前記油圧シリンダ２６の動力軸の上端には上昇板２３が固定的に設置され、前記上昇板２３が前記輪状溝４３の中まで伸びており、且つ前記輪状溝４３とスライドできるように設置され、前記切換板６７の左端面には前記ブラケットロッド２０の下側に位置するスプラインスリーブ２４が回転できるように設置され、前記スプラインスリーブ２４が前記傘歯車軸６１とスプラインによって結合され、前記スプラインスリーブ２４の左端には方向切換傘歯車２５が固定的に設置され、前記内部清掃装置が前記清掃空間１１の頂壁に固定的に設置される押しノズル４０を含み、前記清掃空間１１の左壁には前記側ノズル４１が固定的に設置され、前記清掃空間１１の後壁には外部と連通される排水パイプ７６が固定的に設置され、前記清掃空間１１の後壁にはリール軸１５が回転できるように設置され、前記リール軸１５には前記伝動ラック１３と噛み合う伝動歯車１６が固定的に設置され、前記リール軸１５には前記伝動歯車１６の前側に位置する前記リール１４が固定的に設置され、前記リール１４には引き線９０が周設され、前記清掃空間１１の後壁には上下にスライドできるスライドロッド１７が設置され、前記スライドロッド１７の下端には内毛払い１８が固定的に設置され、前記引き線９０が前記清掃空間１１の後壁に回転できるように設置される糸巻き方向切換輪３９を通って前記スライドロッド１７の上端に固定的に連結される。
【００２６】
下記には、申請人は付図１−４と、上記の記載を参考して本申請のゴミ箱清掃装置を具体的に紹介する。
【００２７】
初期状態にある時、前記スイッチプレート５４が前記センサースイッチ５６と協働し合い、前記空気ポンプ７２が前記ガス充填空間７０を気体で満たした後に停止し、前記位置戻しばね３８が引っ張り状態であり、前記油圧シリンダ２６が作動していなく、前記回転傘歯車２９と、前記方向切換傘歯車２５が噛み合っていなく、前記動力歯車４５が前記左切換歯車４６と噛み合い、前記排水パイプ７６が閉じる状態にある。
【００２８】
作動開始の時、前記側ノズル４１と、前記押しノズル４０が水を噴き出し、前記ゴミ箱４２を左側の前記箱溝２２の中に置き、前記モーター３７が起動して前記動力歯車４５を回転させ、前記動力歯車４５が前記左切換歯車４６を連動させて回転させ、前記左切換歯車４６が前記位置切換軸４７を連動させて回転させ、前記位置切換軸４７が前記位置切換板４４を連動させて回転させ、前記位置切換板４４が回転して前記ゴミ箱４２を前記清掃空間１１の中まで回転させ、前記位置切換軸４７の回転と位置切換が完了した後、前記脱ガス制御板４８が右側の前記脱ガス押出板５１を後方へ押し、前記脱ガス押出板５１が後方へ運動することにより前記脱ガス連結ロッド６９を連動させて後方へ運動させて、且つ前記脱ガススイッチプレート７４を後方へ運動させ、前記脱ガススイッチプレート７４が前記脱ガスパイプ７３を起動させて脱ガスを行い、前記ガス充填空間７０の中の気体が排出され、前記モーター３７が前記位置戻しばね３８の位置戻しの作用により右へ運動して前記動力歯車４５を前記左切換歯車４６から離れさせ、前記動力歯車４５が前記右切換歯車３４と噛み合い、前記動力歯車４５が前記右切換歯車３４を連動させて回転させ、前記右切換歯車３４が前記箱回し伝動軸３１を連動させて回転させ、前記箱回し伝動軸３１が前記左制御プーリ３５を連動させて回転させ、前記左制御プーリ３５が前記右制御プーリ３２を連動させて回転させ、前記右制御プーリ３２が前記制御歯車軸３０を連動させて回転させ、前記制御歯車軸３０が前記スイッチ歯車５９を連動させて回転させ、前記制御歯車軸３０が前記伝動傘歯車６０を連動させて回転させ、前記伝動傘歯車６０が前記右伝動傘歯車６３により前記傘歯車軸６１を連動させて回転させ、前記傘歯車軸６１が前記スプラインスリーブ２４を連動させて回転させ、前記スプラインスリーブ２４が前記方向切換傘歯車２５を連動させて回転させ、前記傘歯車軸６１が前記下伝動ベルト車６２を連動させて回転させ、前記下伝動ベルト車６２が前記上伝動ベルト車６４を連動させて回転させて前記親ねじ６５を左へ運動させ、前記切換板６７が左へ運動して前記方向切換傘歯車２５を前記回転傘歯車２９と噛み合わせ、前記方向切換傘歯車２５が前記回転傘歯車２９を連動させて回転させ、前記油圧シリンダ２６の起動が前記上昇板２３を上がらせて前記ゴミ箱４２を上方へ持ち上げ、前記回転傘歯車２９が前記シリンダースリーブ２７を連動させて回転させ、前記シリンダースリーブ２７が前記油圧シリンダ２６により前記上昇板２３を連動させて回転させ、前記上昇板２３が前記ゴミ箱４２を連動させて回転させる。
【００２９】
清掃開始の時、前記親ねじ６５が前記切換板６７を連動させて左へ運動させて前記ホルダリング２１と前記ゴミ箱４２とを協働し合わせて固定を行い、前記外毛払い１９が前記ゴミ箱４２の外周面と当接し、前記伝動ラック１３が左へ運動する時に前記伝動歯車１６を連動させて回転させ、前記伝動歯車１６が前記リール軸１５により前記リール１４を連動させて回転させ、前記リール１４が糸を繰り出し、前記引き線９０が前記スライドロッド１７を連動させて下がらせ、前記スライドロッド１７が前記内毛払い１８を連動させて前記ゴミ箱４２の中に挿入させ、それにより清掃を始める。
【００３０】
清掃が完了した後、前記排水パイプ７６を開けて水を排出し、前記モーター３７が反転することにより前記内部清掃装置と、外部清掃装置が元の位置に戻り、前記油圧シリンダ２６が起動して前記上昇板２３を元の位置に戻らせ、前記スイッチ歯車５９が前記変速歯車５８により減速した後に前記制御回転軸３３を連動させて回転させ、前記制御回転軸３３が前記スイッチプレート５４を連動させて前記センサースイッチ５６と再度協働し合わせて前記空気ポンプ７２を起動させて前記ガス充填空間７０の中へ空気を詰めて前記ピストン７５を左へ運動させ、前記ピストン７５が前記ピストンロッド５３と、前記モーター連結ロッド５２により前記モーター３７を連動させて右へ運動させて前記動力歯車４５を前記左切換歯車４６と再び噛み合わせ、前記動力歯車４５が前記左切換歯車４６と噛み合う時に、前記モーター３７が反転して、前記ゴミ箱４２を送り出した後、前記モーター３７が停止し、この時に次回の作業を行うことができる。
【００３１】
上記の記載により、本装置は機構が簡単で、使用が便利で、ゴミ箱に対して自動的な清掃を実現でき、清掃の全過程は装置内で行われ、汚れた水の噴き出しを回避でき、清掃している過程中にゴミ箱の内部と、箱壁を同時に清掃でき、清掃の効率を大いに高め、人件費を下げ、清掃スタッフの労働強度を下げ、ゴミ箱がきれいであることを保証できる。
【００３２】
上記の記載はただ本発明における具体的な実施方式であり、但し本発明の保護範囲はこれに限定されるものではなく、創造的な労働を通じなく想到されるあらゆる変化と立ち代わりは本発明の保護範囲の中にカバーすべきであり、そのために、本発明の保護範囲は特許請求の範囲に限定された保護範囲に準じるべきである。